(57)【要約】【課題】フィルタを取り付けるための部材を削減でき、コンパクト化も実現し易い照明装置を提供すること。【解決手段】照明装置が、係止部を有する内周面を含む基台と、基台内に配置され、基板、及び前記基板に実装された発光素子を含む発光部を有する光源と、光源からの光が入光する入光部、及び光を投光する投光部を有するレンズ５０を備える。レンズ５０が、Ｒ方向外側に突出すると共に係止部に係止される環状支持部５２と、環状支持部５２におけるＺ方向の投光側面６５からＺ方向の投光側に突出すると共にフィルタ６０を保持するフィルタ保持部６１と、をＺ方向の投光部側に有する。【選択図】図１２
2019153426.tif 000002
【特許請求の範囲】
【請求項１】
係止部を有する内周面を含む筐体と、
前記筐体内に配置され、基板、及び前記基板に実装された発光素子を含む発光部を有する光源と、
前記光源からの光が入光する入光部、及び光を投光する投光部を有する光学部材と、を備え、
前記光学部材が、径方向の外側に突出すると共に前記係止部に係止される環状支持部と、前記環状支持部における前記基板の厚さ方向の投光側面から前記厚さ方向の投光側に突出すると共にフィルタを保持するフィルタ保持部と、を前記厚さ方向の前記投光部側に有する、照明装置。
【請求項２】
前記フィルタ保持部は、前記環状支持部の周方向に略同じ間隔をおいて配置される複数のフィルタ係止部を有し、
前記フィルタ係止部は、前記厚さ方向の前記投光側に延在する厚さ方向延在部と、前記厚さ方向延在部の前記基板側とは反対側の先端部から前記環状支持部の径方向の内方側に延在する径方向延在部とを含む、請求項１に記載の照明装置。
【請求項３】
前記光学部材は、一体に成形され、
前記光学部材が、ショア（Ａ）硬度が５０〜９０のゴム弾性体で構成される、請求項１又は２に記載の照明装置。
【請求項４】
前記光学部材が、シリコーン樹脂組成物で構成される、請求項１乃至３のいずれか１つに記載の照明装置。
【請求項５】
前記厚さ方向から見たとき、前記フィルタ保持部が前記光学部材における前記フィルタ保持部でないと共に前記環状支持部でもない部分に重ならないように位置する、請求項１乃至４のいずれか１つに記載の照明装置。
【発明の詳細な説明】
【技術分野】
【０００１】
本開示は、照明装置に関する。
【背景技術】
【０００２】
従来、照明装置としては、特許文献１に記載されているものがある。この照明装置は、筐体、光源、及びフィルタを備える。光源は、筐体内に配置され、フィルタは、照明装置における光源よりも投光側に配置される。詳しくは、フィルタは、円板形状を有する。フィルタの外周面には、複数の突出部が設けられ、複数の突出部は、周方向に略等間隔に配置され、各突出部は、径方向外方側に突出する。また、筐体の内周側かつ投光側には、円筒部材が配置され、円筒部材は、上記複数の突出部に係合する複数の係合凹部を内周側に有する。フィルタは、その径が小さくなるように圧縮された状態で円筒部材内に投光側から光源側に挿入される。その挿入によって、複数の突出部が複数の係合凹部に係止され、フィルタが円筒部材に取り付けられる。
【先行技術文献】
【特許文献】
【０００３】
【特許文献１】特開２０１７−５０１８８号公報（第９図）
【発明の概要】
【発明が解決しようとする課題】
【０００４】
特許文献１の照明装置では、フィルタが照明装置から落下しないようにするため、筒状部材を筐体内に配置し、フィルタの突出部を筒状部材の係合凹部に係止している。しかし、筒状部材を筐体内に取り付けなければならず、照明器具構造が複雑になり、照明装置の部品点数が大きくなり、照明装置が大型化する。また、照明装置の組立に要する時間が長くなって、サイクルタイムが長くなる。
【０００５】
そこで、本開示の目的は、フィルタを取り付けるための部材を削減でき、コンパクト化も実現し易い照明装置を提供することにある。
【課題を解決するための手段】
【０００６】
上記課題を解決するため、本開示に係る照明装置は、係止部を有する内周面を含む筐体と、筐体内に配置され、基板、及び前記基板に実装された発光素子を含む発光部を有する光源と、光源からの光が入光する入光部、及び光を投光する投光部を有する光学部材と、を備え、光学部材が、径方向の外側に突出すると共に係止部に係止される環状支持部と、環状支持部における基板の厚さ方向の投光側面から厚さ方向の投光側に突出すると共にフィルタを保持するフィルタ保持部と、を厚さ方向の投光部側に有する。
【発明の効果】
【０００７】
本開示に係る照明装置によれば、フィルタを取り付けるための部材を削減でき、コンパクト化も実現し易い。
【図面の簡単な説明】
【０００８】
【図１】本開示の一実施形態に係る照明装置の主要部の斜視図である。
【図２】上記照明装置の主要部の分解斜視図である。
【図３】上記照明装置の主要の中心軸を含む切断面における断面図である。
【図４】上記照明装置の基台を下側から見たときの斜視図である。
【図５】光源を保持したホルダを上側から見たときの斜視図である。
【図６】光源を保持したホルダを下側から見たときの斜視図である。
【図７】内側筒部材、レンズ落下防止部材、及びレンズで構成されるアッセンブリを上側から見たときの斜視図である。
【図８】上記アッセンブリを、下側から見たときの斜視図である。
【図９】レンズを上側から見たときの斜視図である。
【図１０】レンズを下側から見たときの斜視図である。
【図１１】単独状態のレンズにおける環状支持部の外径φａと、環状溝の内径φｄ等との寸法の比較関係を説明するための部分模式断面図である。
【図１２】フィルタを装着した状態のレンズを下側から見たときの斜視図である。
【図１３】フィルタを装着した状態のレンズの模式断面図である。
【図１４】フィルタを装着していないレンズを下側から見たときの平面図である。
【図１５】フィルタを装着した状態のレンズを下側から見たときの平面図である。
【図１６】図１３におけるフィルタ係止部付近の拡大模式断面図である。
【図１７】変形例の照明装置における図１６に対応する拡大模式断面図である。
【発明を実施するための形態】
【０００９】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の説明及び図面において、Ｒ方向は、以下で説明するレンズ５０の環状支持部５２の径方向を示し、θ方向は、環状支持部５２の周方向を示し、Ｚ方向は、照明装置１の高さ方向を示し、以下で説明する基板２１の厚さ方向に一致する。Ｒ方向、θ方向、及びＺ方向は、互いに直交する。また、以下の説明で、中心軸とは、レンズ５０の中心軸を含む直線（環状支持部５２の中心軸とその延長線）を示す。また、以下の説明では、Ｚ方向が、照明装置１の光源２０から出射される光の光軸方向に一致する場合について説明する。しかし、Ｚ方向は、照明装置の光源から出射される光軸方向に一致しなくてもよい。また、以下の説明で、鉛直方向や水平方向に関連する文言、例えば、下側、上側、水平方向等を用いた場合、それらの文言は、照明装置１からの出射光が鉛直方向下側に照射され、該出射光の光軸が鉛直方向に一致している状態で表現されている。換言すると、本実施例では、照明装置１が、Ｚ方向が鉛直方向に一致するように配置される場合を例に説明を行う。また、本明細書では、下側とは、Ｚ方向の投光側のことを指し、上側とは、Ｚ方向の投光側とは反対側を指す。また、本明細書では、シリコーン樹脂組成物に、全ての成分がシリコーン樹脂である材料が含まれると共に、重量％が最も大きい主成分がシリコーン樹脂であってシリコーン樹脂以外の材料を含む組成物も含まれるものとする。
【００１０】
図１は、本開示の一実施形態に係る照明装置１の主要部の斜視図である。図１を参照して、照明装置１は、埋込型ダウンライトであり、ホール等の建物の天井に埋め込み配置され、下方を照明する。図１に示すように、照明装置１は、筐体としての基台１０と、図示しない枠体を備える。基台１０は、照明装置１の外郭部材であり、有底円筒状部１１を有する。基台１０は、有底円筒状部１１内に光源２０（図５参照）を取り付ける取付台として機能する。基台１０は、上方に突出する複数のフィン１２を有する。基台１０全体は、光源２０で発生する熱を放散させるヒートシンクとしても機能し、特にフィン１２が光源２０からの熱を外気に放熱する。このため、基台１０は、金属材料等の熱伝導率の高い材料によって構成されると好ましい。基台１０は、例えば、アルミダイカスト等で、有底円筒状部１１とフィン１２を一体成形することで構成される。なお、基台は、有底円筒状部とフィンを接合する構成でもよい。この場合、例えば、有底円筒状部に設けた突起を、フィンに設けられた孔に挿入した後に塑性変形させることで、有底円筒状部とフィンを接続してもよい。また、基台は、フィンを有さなくてもよい。
【００１１】
基台１０には、複数のねじ孔１３が設けられる。これらのねじ孔１３は、基台を枠体に固定するために設けられる。枠体は、円筒外周面を有し、アルミニウム等の金属材料、又はポリブチレンテレフタレート等の樹脂材料によって好適に形成される。詳述しないが、枠体の円筒外周面には、図示しない２つの取付バネが、取り付けられる。２つの取付バネは、枠体外側に中心軸を挟んで径方向（Ｒ方向に一致）に対向するように配置され、ボルト等で枠体の円筒外周面に固定される。各取付バネは、天井の埋め込み孔に固定される前の状態において略水平方向に延在する。取付バネは、例えば、長尺状の金属板によって構成され、板バネ構造を有する。取付バネが鉛直方向に延在するように、取付バネを歪ませ、取付バネを埋め込み孔の周囲に当接させる。取付バネが埋め込み孔内面から受ける水平方向の力で、照明装置１を天井の埋め込み孔内面に固定する。なお、取付バネは３つ以上設けられてもよい。また、取付部の構造は、照明装置を天井に固定できる構造であれば如何なる構造でもよい。
【００１２】
次に、図２〜図８を用いて、照明装置１の主要部の概略構成と、その組立構造について説明する。図２は、照明装置１の主要部の分解斜視図であり、図３は、当該主要部の中心軸を含む切断面における断面図である。図２に示すように、照明装置１は、基台１０、内側筒部材３０、レンズ落下防止部材４０、光学部材の一例としてのレンズ５０、及びフィルタ６０を備える。図２及び図３に示すように、レンズ５０は、略円錐台状の外周面部５１と、環状支持部５２を含み、環状支持部５２は、外周面部５１の下側（光投光側）に設けられる。環状支持部５２は、環状のフランジ構造を有し、レンズ５０の光投光部の下側端部からＲ方向外側に突出する。レンズ５０は、基台１０の内周面側に取り付けられる。レンズ５０の材質、物性、及び基台１０に対するレンズ５０の取付構造については、後で詳細に説明する。
【００１３】
図３に示すように、内側筒部材３０は、レンズ５０の外周面部５１と基台１０の内周面１５との間に配置される。内側筒部材３０の上側先端部には、係止爪３１が設けられ、基台１０の内周面１５には、係止爪３１を係止する係合凹部１６が設けられる。係止爪３１を係合凹部１６に係止することで、内側筒部材３０が基台１０に取り付けられる。
【００１４】
また、レンズ落下防止部材４０は、レンズ５０の下側に取り付けられる。レンズ落下防止部材４０は、筒状部材であり、外周側にＲ方向外側に突出する係止爪４１を有する。この係止爪４１は、基台１０の内周面の下側に設けられた係合凹部１７に係止され、その結果、レンズ落下防止部材４０が、基台１０の内周側かつ下側に取り付けられる。また、フィルタ６０は、レンズ５０の投光側に取り付けられる。フィルタ６０の役割、材質、及びレンズ５０に対するフィルタ６０の取付構造については、後で詳細に説明する。
【００１５】
次に、照明装置１の光源２０、その取付構造、及び照明装置１の組立構造について説明する。図４は、基台１０を下側から見たときの斜視図である。また、図５は、光源２０を保持したホルダ３５を上側から見たときの斜視図であり、図６は、光源２０を保持したホルダ３５を下側から見たときの斜視図である。
【００１６】
図４に示すように、基台１０の主面１８には、光源２０を保持するホルダ３５の上側形状に対応する凹凸構造１９とねじ孔５が設けられる。また、図６に示すように、光源２０は、基板２１と、発光部２２を有する。基板２１は、平面視で略正方形の形状を有し、発光部２２は、円板状の形状を有する。発光部２２は、基板２１の下面（実装面）の略中央に配設される。光源２０は、例えば、ＣＯＢ（Chip On Board）構造を有し、発光部２２は、基板２１に実装された複数のＬＥＤ（light emitting diode）と、複数のＬＥＤを封止する封止部材を含む。
【００１７】
基板２１は、例えば、セラミックス基板、樹脂基板、又はメタルベース基板等で構成される。詳述しないが、基板２１には、一対の電極端子と、所定パターンの金属配線が形成される。一対の電極端子は、ＬＥＤを発光させるための直流電力を外部から受電するために設けられる。また、所定パターンの金属配線は、ＬＥＤ同士を電気的に接続するために設けられる。
【００１８】
ＬＥＤは、発光素子の一例である。ＬＥＤは、例えば、単色の可視光を発するベアチップで構成され、通電されれば青色光を発する青色ＬＥＤチップで構成される。複数のＬＥＤは、例えば基板２１にマトリクス状に配置される。なお、ＬＥＤは、基板に１つのみ実装されてもよい。封止部材は、例えば、透光性樹脂で構成され、蛍光体を含む。蛍光体は、ＬＥＤからの光を波長変換する役割を果たす。封止部材は、例えば、シリコーン樹脂に蛍光体粒子を分散させた蛍光体含有樹脂で構成される。光源２０が白色光を出射し、ＬＥＤが青色光を発光する青色ＬＥＤチップである場合、蛍光体粒子は、例えばＹＡＧ系の黄色蛍光体で構成される。封止部材は、例えば、全てのＬＥＤを一括封止してもよく、複数のＬＥＤを列ごとにライン状に封止してもよく、各ＬＥＤを１つずつ個別に封止してもよい。
【００１９】
図６に示すように、ホルダ３５は、Ｚ方向から見たとき基板２１に重なる基板受部３６を有し、基板受部３６は、基板２１の下側に位置する。基板２１の下面は、基板受部３６の上面で支持される。図５に示すように、ホルダ３５は、基板２１の上面形状に対応する形状の開口３７を有する凹部を含む。基板２１の下面が、基板受部３６に接触するまで、光源２０を凹部に収容し、その後、基板離脱防止部材３８を、その一部がＺ方向から見たときに基板２１に重なるように基板２１の上側に配置する。その後、複数のボルト８を、ホルダ３５の下側から、ホルダ３５、基板離脱防止部材３８、及び基台１０のねじ孔５に締め込む。このボルト８の締め込みにより、光源２０を保持した状態のホルダ３５が、基台１０の主面１８に取り付けられる。
【００２０】
図７は、内側筒部材３０、レンズ落下防止部材４０、及びレンズ５０で構成されるアッセンブリを上側から見たときの斜視図であり、図８は、そのアッセンブリを、下側から見たときの斜視図である。なお、図８は、フィルタ６０（図２,図３参照）がレンズ５０から外された状態を図示している。図７に示すように、レンズ５０は、上側に有底の円筒孔５３を有し、円筒孔５３は、上側に略円形の縁６４を有する開口５５を有する。この開口５５の直径は、円板状の発光部２２（図６参照）の直径よりも大きい。
【００２１】
内側筒部材３０、レンズ落下防止部材４０、及びレンズ５０の夫々が、基台１０の内周側に取り付けられると、照明装置１の組立が、完了する。照明装置１の組立を完了した状態で、発光部２２は、円筒孔５３内に収容され、開口５５は、光源２０の基板２１の下面で塞がれる。その結果、円筒孔５３は、光源２０を取り囲むように配置され、発光部２２から出射された光は、漏れることなくレンズ５０内に入射する。この構成によって、光の取出効率を高くしている。
【００２２】
図９は、レンズ５０を上側から見たときの斜視図であり、図１０は、レンズ５０を下側から見たときの斜視図である。図９に示すように、円筒孔５３は、円筒内周面５４と、Ｒθ平面（水平面）に略平行に広がる底面５６を含む。図９を参照して、円筒内周面５４、及び底面５６は、レンズ５０の入光部７１を構成する一方、図１０を参照して、レンズ５０は、Ｚ方向の基板２１側とは反対側に投光部５７を有する。
【００２３】
レンズ５０は、透光性を有する透明なシリコーン樹脂（シリコーンゴム）で構成される。また、ショア（Ａ）硬度を、ＪＩＳのＫ６２５３（２０１２）及びＪＩＳのＫ７２１５（１９８６）で規定されている硬度としたとき、レンズ５０は、ショア（Ａ）硬度が５０〜９０のゴム弾性体で構成される。レンズ５０は、波長５５０ｎｍ、肉厚１ｍｍにおける、光線透過率が、８５％以上、好ましくは、９０％以上であると、好ましいが、これに限らない。また、レンズ５０は、シリコーン樹脂で構成されるため、耐熱温度が、例えば、２００℃程度の高温となる。よって、発光部２２の温度が、１４０℃〜１６０℃程度になるような高出力のＬＥＤを採用したとしても、レンズ５０を発光部２２に近接配置しても、レンズ５０が発光部２２からの熱によって熱劣化を起こしにくいか又は熱劣化を起こすことがない。よって、上述のように、レンズ５０を発光部２２に近接配置でき、光の取出効率を大きくできる。また、レンズ５０は、シリコーン樹脂（シリコーンゴム）で構成され、弾性を有する。よって、特に、レンズ５０における開口５５の縁６４（図９参照）を、基板２１におけるレンズ５０側の面に押し込んで、基板２１におけるレンズ５０側の面に接触させても、レンズ５０及び基板２１が損傷することを抑制できる。
【００２４】
図９に示すように、円筒内周面５４には、複数の畝状（蒲鉾状）の突出部５９が設けられる。複数の突出部５９は、θ方向に互いに隣接するように配置され、各突出部５９は、Ｚ方向に一端から他端まで延在する。ＬＥＤは、光軸に沿った方向に波長が短い光が出射され易いのに対し、光軸から離れた方向では波長が長い光が出射され易いという性質を有し、ＬＥＤから出射される光に色ムラが生じることがある。本実施例では、ＬＥＤから出射された光を複数の畝状（蒲鉾状）の突出部５９で混ぜ合わせて拡散させることができ、色ムラを抑制できる。なお、レンズの入射側の凹部の側面は、Ｚ方向に延在する畝状の突出部以外の拡散部を有してもよく、例えば、レンズの入射側の凹部の側面は、拡散部として、略均等な密度で形成された複数のディンプル（孔）や、略均等な密度で形成されると共に縁が円で球の一部からなる複数の突起を有してもよい。又は、レンズの入射側の凹部の側面は、如何なる拡散部も有さなくてもよい。
【００２５】
図９、及び図１０に示すように、レンズ５０は、ノコギリ状の断面を有するフレネルレンズである。レンズ５０は、同心円状の複数の領域に分割された構造を有し、レンズ５０の下側面を含む投光部５７は、階段状の出射面５８を有する。階段状の出射面５８を投光部５７に設けることで、通常のレンズよりも厚さの薄肉化を実現できる。よって、照明装置１を軽量化できると共に、レンズ５０の製造コストも低減できる。なお、投光部は、レンズの薄肉化が可能となる階段状の出射面以外の出射面を有してもよく、例えば、Ｚ方向の投光側に行くにしたがって末広がりとなるテーパ面状の出射面を有してもよく、円錐内周面等の出射面を有してもよい。又は、投光部の出射面は円板形状等で構成されてもよく、レンズは厚肉構造であってもよい。
【００２６】
レンズ５０の投光側において外周側に位置する環状縁部は、環状支持部５２を構成する。再度、図３を参照して、レンズ５０は、基台１０に係止されて、固定される。次に、基台１０に対するレンズ５０の取付構造について説明する。図３に示すように、基台１０は、係止部の一例としての環状溝７を有し、環状溝７は、Ｒ方向内側のみがＲ方向内側に開口する。
【００２７】
図１１は、単独状態のレンズ５０における環状支持部５２の外径φａと、環状溝７の内径φｄ等との寸法の比較関係を説明するための部分模式断面図である。図１１に示すように、レンズ５０が単独状態で存在しているときの、レンズ５０の環状支持部５２の外径φａは、基台１０において環状溝７が設けられない内周面部の内径φｂよりも大きくなっており、基台１０の外周面の外径φｃよりも小さくなっている。更には、環状溝７の底部９の内径φｄは、単独状態のレンズ５０における環状支持部５２の外径φａよりも小さくなっている。
【００２８】
上述のように、レンズ５０は、ショア（Ａ）硬度が５０〜９０のシリコーンゴム弾性体で構成されて弾性を有しているので、アクリル製の硬いレンズやポリカーボネート製の硬いレンズとは異なって圧縮して歪ませることができる。レンズ５０は、環状支持部５２の外径が小さくなるように圧縮された状態で、基台１０の下側から上側に挿入され、基台１０の内周面に圧入される。その圧入は、環状支持部５２が環状溝７に嵌入されるまで実行される。レンズ５０は弾性を有するので、レンズ５０はこの圧入で破損することはない。また、上述のように、環状溝７の底部９の内径は、単独状態のレンズ５０における環状支持部５２の外径よりも小さくなっている。この構成により、環状支持部５２が環状溝７に嵌入された状態で、環状支持部５２のＲ方向外側の先端部は、環状溝７の底部９にＲ方向内側に押圧されて圧縮される。この圧縮で、環状支持部５２と環状溝７の底部９との間に隙間が生じることが防止され、レンズ５０の外周面部５１と基台１０の内周面で画定されるスペースが外部に対して密閉される。よって、埃や虫が照明装置１内部に侵入することを抑制でき、照明装置１の点灯時に照射面に埃や虫による影が生成しにくい。その結果、その影により、照明性能が低下することを抑制でき、清潔感も良好なものにできる。なお、環状支持部は、環状溝に圧入されなくてもよく、環状溝の底に対して間隔をおいて配置されてもよい。また、環状支持部の取付部も、環状溝でなくてもよく、同一平面上に位置して周方向に間隔をおいて配置される複数の非環状溝であってもよい。要は、取付部は、環状支持部を係止できて固定できるものであれば如何なる構造でもよい。
【００２９】
レンズ５０は、環状支持部５２を環状溝７に係止することで基台１０の内周側に取り付けられる。レンズ５０を基台１０に固定した後、レンズ落下防止部材４０が、基台１０におけるレンズ５０の下側に取り付けられる。Ｚ方向から見たとき、レンズ落下防止部材４０は、レンズ５０に重なる部分を有する。この構成により、何らかの問題で仮にレンズ５０が落下したとしても、その落下したレンズ５０をレンズ落下防止部材４０で受け止めることが可能になる。このようにして、レンズ５０の落下を二重の落下防止機構で防止し、安全に万全を期している。
【００３０】
なお、レンズ５０の環状支持部５２の外径φａが、基台１０の内周面の内径φｂよりも大きいので、レンズ５０を単独で基台１０の内周側に固定できる。よって、レンズ５０を基台１０に固定するためのレンズ固定部材を必要としない。また、レンズ５０の落下を防止するレンズ落下防止部材４０を省略することもできる。よって。この場合、部品点数を省略できて、製造コストを低減できる。また、レンズ落下防止部材４０の内周面をグレーや黒で着色すると、当該内周面での光の反射を抑制でき、人が下側から照明装置１を見たときの眩しさを抑制できて好ましい。
【００３１】
図１２は、フィルタ６０を装着した状態のレンズ５０を下側から見たときの斜視図であり、図１３は、フィルタ６０を装着した状態のレンズ５０の模式断面図である。図１０に示すように、レンズ５０は、環状支持部５２におけるＺ方向の投光側面６５からＺ方向の投光側に突出するフィルタ保持部６１を有する。フィルタ保持部６１は、３つのフィルタ係止部６２を含み、３つのフィルタ係止部６２は、θ方向に等間隔に配置される。各フィルタ係止部６２は、厚さ方向延在部６８と、径方向延在部６９を含む。厚さ方向延在部６８は、Ｚ方向（基板２１の厚さ方向）の投光側に延在する。また、径方向延在部６９は、厚さ方向延在部６８の基板２１側とは反対側の先端部からＲ方向（環状支持部５２の径方向）の内方側に延在する。環状支持部５２におけるＺ方向の投光側面６５、厚さ方向延在部６８のＲ方向内側部分、及び径方向延在部６９におけるＺ方向の環状支持部５２側の上側部分は、凹部６３を画定する。
【００３２】
図１２に示すように、フィルタ６０は、円板状の形状を有する。フィルタ６０の外周側の縁部の３か所を、凹部６３内に篏入させることで、フィルタ６０をレンズ５０に係止して固定する。また、図１３に示すように、フィルタ６０の厚さは、凹部６３のＺ方向の長さと同一か又は凹部６３のＺ方向の長さよりも僅かに厚くなっていると好ましい。この場合、フィルタ６０の上面が、環状支持部５２におけるＺ方向の投光側面６５に当接するので、レンズ５０から出射した光を、効率的にフィルタ６０に入射させることができ、レンズ５０から出射した光を、フィルタ６０で効率的に変換できる。
【００３３】
環状支持部５２とフィルタ保持部６１は、射出成形等で一体成形される。上述のように、レンズ５０は、ショア（Ａ）硬度が５０〜９０のシリコーンゴム弾性体で構成され弾性を有する。よって、フィルタ保持部６１をＲ方向外側に歪ませるように変形させることができ、フィルタ６０をフィルタ保持部６１に円滑に装着できる。また、レンズ５０が弾性を有するので、環状支持部５２とフィルタ保持部６１が一体の構造であっても、フィルタ保持部６１を破損させることなく、レンズ５０を金型から円滑に離型できる。
【００３４】
フィルタ６０は、例えば、光を広げる等の光の投光方向の配光制御を行うことと、照射光の色を変えることのうちの少なくとも一方を実行する。一例では、フィルタ６０は、例えば、円形の照射面を楕円形の照射面に変えるために設けられ、他の例では、フィルタ６０は、電球色の光を昼光色の光に変え、色温度を変えるために設けられる。又は、フィルタ６０は、照射光の光量を調整するために設けられてもよい。
【００３５】
フィルタ６０は、例えば、着色剤と、ナチュラルペレット（色材を混ぜる前の粒子状の形をしたプラスチック）を混ぜ合わせて成形することで形成される。上記着色剤の種類としては、「マスターバッチ」「着色ペレット・着色コンパウンド」「ドライカラー」「ペーストカラー・リキッドカラー」等がある。
【００３６】
マスターバッチは、ペレット（粒子）状の着色剤であり、中に高濃度の顔料が練り込まれており、ナチュラルペレットと混ぜる量を調整することで、容易に色の濃淡を変えることができる。マスターバッチは、分散性に優れ、均一で美しい発色を実現できるほか、飛散や機材汚染の心配がなく、取り扱いも容易である。また、マスターバッチは、着色ペレットに比べ、コストパフォーマンスに優れる。着色ペレット・着色コンパウンドは、ペレット状の着色剤である。着色ペレット・着色コンパウンドは、マスターバッチと異なり、最終製品と同じ濃度（色味）に設定され、ナチュラルペレットと混ぜ合わせる必要がない。着色ペレット・着色コンパウンドは、配合の手間がなく、安定して目的の色を出し易い。
【００３７】
ドライカラーは、粉末状の着色剤である。ドライカラーは、顔料と金属石鹸などを混ぜ合わせてつくられる。ドライカラーは、製造にほとんど手間がかからないため、最も安価な着色剤である。ペーストカラー・リキッドカラーは、液体状の着色剤である。ペーストカラーとリキッドカラーとでは粘度が異なる。ペーストカラーは、主に、ベース樹脂が塩化ビニルなど液状の場合に用いられ、リキッドカラーは、半透明など製品に薄く色を着けたいときに使われると好ましい。
【００３８】
また、着色剤と混ぜ合わせるプラスチックには、熱可塑性（熱で溶かして成形する）プラスチックが含まれ、熱可塑性プラスチックは、「結晶性」と「非結晶性」の２つに分類できる。結晶性プラスチックには、ポリエチレン（ＰＥ）や、ポリエチレンテレフタレート（ＰＥＴ）が含まれる。また、フィルタの成形方法には、圧縮成形や射出成形、カレンダー成形、押出成形、ブロー成形、真空成形等を用いることができる。射出成形を用いる場合、金型を用いて、フィルタを簡単安価に製造できる。
【００３９】
図１４は、フィルタ６０を装着していないレンズ５０をＺ方向下側から見たときの平面図であり、図１５は、フィルタ６０を装着した状態のレンズ５０をＺ方向下側から見たときの平面図である。図１４,図１５を参照して、レンズ５０をＺ方向下側から見たとき、フィルタ６０を装着していない状態では、投光部５７の階段状の出射面５８を全て視認できるのに対し、フィルタ６０を装着した状態では、階段状の出射面５８が一切視認できないようになっている。また、図１５に示すように、Ｒ方向において、フィルタ６０の円形の縁７８は、フィルタ保持部６１において最もＲ方向内側に位置する箇所７６のＲ方向外側に位置し、フィルタ保持部６１において最もＲ方向外側に位置する箇所７７のＲ方向内側に位置する。このように、フィルタ６０でレンズ５０のＺ方向下側の広範囲な部分を覆うことで、レンズ５０から出射した光を、フィルタ６０で所望な光に効率的に変換できる。よって、一例によれば、フィルタ６０に入射した光を、フィルタ６０で正確にスポットライト状に集光でき、局所領域を効果的に照らすことができる。
【００４０】
以上、照明装置１は、環状溝（係止部）７を有する内周面１５を含む基台（筐体）１０と、基台１０内に配置され、基板２１、及び基板２１に実装された発光素子を含む発光部２２を有する光源２０を備える。また、照明装置１は、光源２０からの光が入光する入光部７１、及び光を投光する投光部５７を有するレンズ（光学部材）５０を備える。また、レンズ５０が、Ｒ方向外側に突出すると共に環状溝（係止部）７に係止される環状支持部５２と、環状支持部５２おける基板２１の厚さ方向（Ｚ方向）の投光側面６５からＺ方向の投光側に突出すると共にフィルタ６０を保持するフィルタ保持部６１と、をＺ方向の投光部側に有する。
【００４１】
したがって、フィルタ６０がレンズ５０に取り付けられるので、筐体にフィルタを取り付けるための、フィルタ取付部材、ネジ、又はバネを装着する必要がない。よって、照明装置１の部品点数を低減でき、照明装置１の構造を簡素化することができ、照明装置の組立に要するサイクルタイムも低減できる。更には、照明装置１のコンパクト化を実現し易く、フィルタ６０を簡便な方法で照明装置１に取り付けでき、取り外しできる。
【００４２】
また、フィルタ保持部６１は、環状支持部５２の周方向（θ方向）に略同じ間隔をおいて配置される複数のフィルタ係止部６２を有してもよい。また、フィルタ係止部６２は、Ｚ方向の投光側に延在する厚さ方向延在部６８と、厚さ方向延在部６８の基板２１側とは反対側の先端部から環状支持部５２の径方向の内方側に延在する径方向延在部６９を含んでもよい。
【００４３】
上記構成によれば、フィルタ６０がレンズ５０に着脱可能となる構造を簡単安価に形成できる。
【００４４】
また、レンズ５０は、一体に成形されてもよく、レンズ５０は、ショア（Ａ）硬度が５０〜９０のゴム弾性体で構成されてもよい。
【００４５】
上記構成によれば、レンズ５０が、大きな弾性を有するので、フィルタ保持部６１をＲ方向外側に歪ませるように変形させることができ、フィルタ６０をフィルタ保持部６１に円滑に装着できる。また、レンズ５０が弾性を有するので、環状支持部５２とフィルタ保持部６１が一体の構造であっても、フィルタ保持部６１を破損させることなく、レンズ５０を金型から円滑に離型できる。
【００４６】
また、レンズ５０は、シリコーン樹脂組成物で構成されてもよい。
【００４７】
上記構成によれば、ショア（Ａ）硬度が５０〜９０のゴム弾性体であって、透光性も高いレンズ５０を形成し易い。また、シリコーン樹脂組成物は、成形において金型に入れる際、粘度が低くて流動性が高い液体になり易い。よって、材料を金型に隙間なく充填し易くて、転写性を高くし易い。
【００４８】
なお、本開示は、上記実施形態およびその変形例に限定されるものではなく、本願の特許請求の範囲に記載された事項およびその均等な範囲において種々の改良や変更が可能である。
【００４９】
例えば、フィルタ係止部は、環状支持部からＺ方向投光側に突出するようにレンズに設けられればよい。より詳しくは、図１６、すなわち、図１３における１つのフィルタ係止部６２付近の拡大模式断面図に示すように、光学部材の一例としてのレンズ５０は、Ｒ方向外側に突出すると共に点線αよりもＲ方向外方に位置する環状支持部５２をＺ方向投光側に有する。そして、フィルタ保持部６１は、Ｚ方向から見たとき、レンズ５０におけるフィルタ保持部６１でないと共に環状支持部５２でもない部分９３に重なるように位置してもよい。また、図１７、すなわち、変形例の照明装置１０１における図１６に対応する拡大模式断面図に示すように、光学部材の一例としてのレンズ１５０は、Ｒ方向外側に突出すると共に点線βよりもＲ方向外方に位置する環状支持部１５２をＺ方向投光側に有する。そして、フィルタ１６０を保持するフィルタ保持部１６１は、Ｚ方向から見たとき、レンズ１５０におけるフィルタ保持部１６１でないと共に環状支持部１５２でもない部分１９３に重ならないように位置してもよい。しかし、変形例の照明装置１０１のように、Ｚ方向から見たとき、フィルタ保持部１６１をレンズ１５０におけるフィルタ保持部１６１でないと共に環状支持部１５２でもない部分１９３に重ならないように配置すると、フィルタ保持部１６１の形成により光の取出効率が低くなることを大きく抑制できるか又は防止できる。
【００５０】
また、フィルタ保持部６１を、θ方向に等間隔に配置された３つのフィルタ係止部６２で構成する場合について説明した。しかし、フィルタ保持部を、θ方向に略等間隔に配置された２つ又は４以上のフィルタ保持部で構成してもよい。又は、フィルタ保持部を、環状突出部で構成してもよく、その環状突出部が径方向内側に開口する環状のフィルタ取付溝を有してもよい。
【００５１】
また、レンズ５０が、ショア（Ａ）硬度が５０〜９０であると共に透光性を有するシリコーンゴム弾性体で構成される場合について説明した。しかし、レンズは、ショア（Ａ）硬度が５０以下であると共に透光性を有するシリコーンゴム組成物弾性体で構成されてもよく、ショア（Ａ）硬度が９０以上であると共に透光性を有するシリコーンゴム組成物弾性体で構成されてもよい。又は、レンズは、シリコーンゴム組成物以外の透光性を有するゴム弾性体で構成されてもよく、この場合においても、レンズは、ショア（Ａ）硬度が５０〜９０であると共に透光性を有するゴム弾性体で構成されると好ましい。又は、レンズは、アクリル、ポリカーボネート、又は、それらの組成物で構成されてもよい。
【００５２】
また、光学部材がレンズ５０である場合について説明した。しかし、光学部材は、レンズ機能を有さない透光性カバー等でもよい。また、照明装置１が、埋め込み型ライトである場合について説明した。しかし、照明装置は、レールに吊り下げされる形式や、天井に吊り下げされる形式でもよい。要は、照明装置は、係止部を有する内周面を含む筐体と、筐体内に配置され、基板、及び基板に実装された発光素子を含む発光部を有する光源と、光源からの光が入光する入光部、及び光を投光する投光部を有する光学部材と、を備え、光学部材が、径方向の外側に突出すると共に係止部に係止される環状支持部と、環状支持部における基板の厚さ方向の投光側面から厚さ方向の投光側に突出すると共にフィルタを保持するフィルタ保持部と、を厚さ方向の前記投光部側に有すれば、如何なる構造の照明装置でもよい。また、本開示の照明装置は、レンズ等の光学部材にフィルタを取り付けられていなくてもよく、フィルタを用いずに使用してもよい。フィルタは、光学部材に必要なときに適宜取り付けられればよい。
【符号の説明】
【００５３】
１,１０１  照明装置、  ７  環状溝、  １０  基台、  １５  基台（筐体）の内周面、  ２０  光源、  ２１  基板、  ２２  発光部、  ５０,１５０  レンズ、  ５２,１５２  環状支持部、  ５７  投光部、  ６０,１６０  フィルタ、  ６１,１６１  フィルタ保持部、  ６２  フィルタ係止部、  ６５  環状支持部の投光側面、  ６８  厚さ方向延在部、  ６９  径方向延在部、  ７１  入光部、  １９３  レンズにおけるフィルタ保持部でないと共に環状支持部でもない部分、  Ｒ方向  環状支持部の径方向、  θ方向  環状支持部の周方向、  Ｚ方向  照明装置の高さ方向（基板の厚さ方向）。
【図１】
2019153426.tif 000003
【図２】
2019153426.tif 000004
【図３】
2019153426.tif 000005
【図４】
2019153426.tif 000006
【図５】
2019153426.tif 000007
【図６】
2019153426.tif 000008
【図７】
2019153426.tif 000009
【図８】
2019153426.tif 000010
【図９】
2019153426.tif 000011
【図１０】
2019153426.tif 000012
【図１１】
2019153426.tif 000013
【図１２】
2019153426.tif 000014
【図１３】
2019153426.tif 000015
【図１４】
2019153426.tif 000016
【図１５】
2019153426.tif 000017
【図１６】
2019153426.tif 000018
【図１７】
2019153426.tif 000019